(57)【要約】【課題】本発明は、簡単な構造で、シュータを素早く旋回でき、且つ所望の位置で確実に保持できる除雪機のシュータを提案する。【解決手段】雪掻き用のオーガ１９と投雪用のブロア１７を収納したブロアハウジング１６上に、シュータ２１を旋回可能に備えた除雪機１０において、前記シュータ２１の旋回基部に円板状の旋回座２０を一体的に設け、該旋回座２０の外周部に所定間隔ごとに凹部２０ａ・２０ａ・・・を形成し、該凹部２０ａ・２０ａ・・・に係合体４３を進退可能に付勢して係合する保持機構をブロアハウジング１６上に設けた。【選択図】      図２
2004353253.tif 000002
【特許請求の範囲】
【請求項１】
雪掻き用のオーガと投雪用のブロアを収納したブロアハウジング上に、シュータを旋回可能に備えた除雪機において、前記シュータの旋回基部に円板状の旋回座を一体的に設け、該旋回座の外周部に所定間隔ごとに凹部を形成し、該凹部に係合体を進退可能に付勢して係合する保持機構をブロアハウジング上に設けたことを特徴とする除雪機のシュータ。
【発明の詳細な説明】
【０００１】
【発明の属する技術分野】
本発明は、除雪機のシュータに関し、特に、シュータを回動して任意位置に保持する技術に関する。
【０００２】
【従来の技術】
従来から、雪を掻き込むオーガと、掻き込まれた雪を上方へ跳ね飛ばすブロアと、跳ね飛ばされる雪をガイドするシュータとからなる除雪部を、走行装置を備えた機体に搭載した除雪機が公知となっている。
【０００３】
このシュータは、その下部にギアを取り付け、該ギアに噛合するギアを回転駆動することにより旋回可能に構成されており、オーガでオーガハウジングに掻き込まれた後、ブロアによって上方へ跳ね飛ばされる雪を、該シュータを旋回させることによりガイドしながら任意の方向に排出できるようにしていた。
【０００４】
【特許文献１】
特開２００１−１９３０３３号公報
【０００５】
【発明が解決しようとする課題】
しかし、従来の除雪機においては、電動モータなどを用いてギアを回転駆動することによりシュータを旋回させる構成としていたので、部品点数が多くなり、コスト高となっていた。また、シュータの旋回速度はギアの回転速度に依存するため、シュータを所望の位置まで旋回させるのに比較的時間が掛かっていた。また、シュータ基部の外周に歯部形成し、該歯部をウォームと噛合させ、該ウォームを後部の操作部へ延設したハンドルと連結することにより、該ハンドルの回動でシュータを旋回させる構成も公知となっているが、部品点数が多く、操作に時間が掛かっていたのである。
【０００６】
そこで本発明は、簡素な構造で、シュータを素早く旋回でき、且つ所望の位置で確実に保持できる除雪機のシュータを提案する。
【０００７】
【課題を解決するための手段】
本発明の解決しようとする課題は以上の如くであり、次にこの課題を解決するための手段を説明する。
【０００８】
即ち、請求項１においては、雪掻き用のオーガと投雪用のブロアを収納したブロアハウジング上に、シュータを旋回可能に備えた除雪機において、前記シュータの旋回基部に円板状の旋回座を一体的に設け、該旋回座の外周部に所定間隔ごとに凹部を形成し、該凹部に係合体を進退可能に付勢して係合する保持機構をブロアハウジング上に設けたものである。
【０００９】
【発明の実施の形態】
次に、発明の実施の形態を説明する。
【００１０】
図１は本発明に係る除雪機の全体的な構成を示した側面図、図２は保持機構を示す斜視図、図３は同じく側面図、図４は係合体と旋回座の凹部とが係合された状態を示す保持機構の一部断面平面図、図５は係合体と旋回座の凹部との係合が解除された状態を示す保持機構の一部断面平面図、図６は別実施例の保持機構を示す側面図、図７は係合体と旋回座の凹部とが係合された状態を示す保持機構の一部断面平面図、図８は係合体と旋回座の凹部との係合が解除された状態を示す保持機構の一部断面平面図、図９は別実施例の保持機構を示す側面図である。
【００１１】
まず、図１を用いて除雪機１０の全体構成について説明する。本発明を実施する除雪機は比較的小型の除雪機に適用される。
【００１２】
除雪機１０は、機体前部に配設された除雪部１１と、該除雪部１１の後方に配設された駆動部１２と、該駆動部１２の下方に配設されたクローラ式走行装置１３と、駆動部１２の後方であって機体後部に配設された運転操作部１４とで構成されている。
【００１３】
前記除雪部１１には、機体フレーム１５の前部に連設されたブロアハウジング１６に内設されたブロア１７と、該ブロアハウジング１６の前方に連設されたオーガハウジング１８にその回転軸が左右方向となるように内設された掻込オーガ１９と、該ブロアハウジング１６の上方に水平旋回可能に立設されたシュータ２１とが具備されている。該ブロアハウジング１６の上面において、左右中心より一側に偏心して上方へパイプ状の吐出口１６ａが突出され、該吐出口１６ａの上端にシュータ２１基部（下部）が回転自在に嵌合されている。
【００１４】
前記シュータ２１の上下中途部の後面には、操作部近傍まで後方に延出されたハンドル３７が取り付けられ、該ハンドル３７を左右方向に回動することによりシュータを旋回させて投雪方向を変更できるようにしている。このシュータ２１の旋回機構については後で詳述する。
【００１５】
そして、上述の如く構成される除雪部１１において、掻込オーガ１９でオーガハウジング１８の左右略中央方向へ掻き込まれた雪は、ブロア１７によって上方へ跳ね飛ばされ、シュータ２１によってその方向がガイドされて任意の方向へ排出できるようにしている。該シュータ２１上端にはキャップを設けてハンドル３７とリンク等を介して連結し、該ハンドル３７の操作でキャップを上下回動可能とし、投雪距離を調節可能としている。つまり、該ハンドル３７は投雪方向と投雪距離を変更するための手段を兼用している。
【００１６】
前記駆動部１２では、機体フレーム１５に変速装置が内設され、該機体フレーム１５の上部にはエンジン２２が載置されている。エンジン２２の動力は出力軸２２ａより出力され、除雪部１１及び走行装置１３に伝達される。除雪部１１に伝達された動力により、ブロア１７及び掻込オーガ１９が回転駆動される。また、走行装置１３に伝達される動力は、変速装置において変速されたのち、駆動軸２３に伝達され、駆動軸２３に嵌装された駆動スプロケット２５・２５が回転駆動される。
【００１７】
前記機体フレーム１５の下部には、駆動スプロケット２５・２５が嵌装された駆動軸２３が回動可能に横架支承され、前記機体フレーム１５の後部には、従動スプロケット２６・２６が嵌装された後車軸２４が回動可能に横架支承されている。そして、駆動スプロケット２５と従動スプロケット２６には無端クローラベルト３１が巻回されてクローラが構成されており、この左右一対のクローラによって、駆動軸２３の回転駆動により走行駆動されるクローラ式走行装置１３が構成されている。
【００１８】
前記運転操作部１４では、前記機体フレーム１５の両側後部より斜め後上方に操向ハンドル３２が突出され、平面視Ｕ字状に構成した操向ハンドル３２間に上下の操作ボックス３３・５２が配設されている。上方の操作ボックス３３には、エンジン２２から走行装置１３への伝動の入切操作を行うための走行クラッチレバー３５と、エンジン２２から除雪部１１への伝動の入切操作を行うための除雪クラッチレバー３９等が配置されている。また、下方の操作ボックス５２には、変速装置による変速操作を行うための走行変速レバー３８が配設されている。
【００１９】
前記走行クラッチレバー３５は操向ハンドル３２を握りながらこのレバー３５を握れるように構成されており、このレバー３５は操向ハンドル３２とともに握っているとき作動し、放すと停止するデッドマンクラッチレバーとしている。
【００２０】
また、走行クラッチレバー３５と除雪クラッチレバー３９は、いずれも操向ハンドル３２の近傍に設けられており、走行クラッチレバー３５と除雪クラッチレバー３９はいずれもクラッチＯＦＦ操作位置に付勢され、除雪クラッチレバー３９は除雪クラッチＯＮ操作位置でロックすることができるものとされている。
【００２１】
次に、図２乃至図５を用いてシュータ２１の旋回機構について説明する。
【００２２】
前記シュータ２１の旋回基部となる下部には一体的に旋回座２０が設けられ、該旋回座２０はリング状の円板の外周部に所定間隔ごとに複数の凹部２０ａ・２０ａ・・・がスプロケットまたは歯車の如く形成されて、凹部２０ａと凹部２０ａの間は山型形状に構成している。該旋回座２０の側方であって、ブロアハウジング１６の上面に本発明のシュータ２１の回転保持機構が設けられている。即ち、該保持機構は前記凹部２０ａに係合体を進退可能に付勢して係合するための機構であり、該係合体は支持部材４２に取り付けられている。
【００２３】
つまり、側面視逆Ｌ字状の固定部材４１が旋回座２０側方のブロアハウジング１６上に固設され、該固定部材４１に側面視コ字状の支持部材４２が取り付けられる。該固定部材４１の突出端部４１ａにはシュータ２１の半径方向にＵ字状の切欠４１ｂが形成され、該切欠４１ｂに支持部材４２から下方に突出した凸部４２ａのネジ部を挿入して、ナット等によって位置調整可能に取り付けられている。なお、この固定部材４１には従来の旋回用モータや旋回用のウォームを取り付けることもできる。また、支持部材４２をブロアハウジング１６に直接固定することも可能である。
【００２４】
前記支持部材４２は、開放側がシュータ２１と対向して、上板４２ｂと下板４２ｃの間に旋回座２０が臨むように位置して配設され、下板４２ｃの下面から下方に凸部４２ａが突設されている。そして、前記支持部材４２の上板４２ｂと下板４２ｃのそれぞれのシュータ２１側端部には、平面視Ｕ字状の摺動溝４２ｄ・４２ｅが上下に正対してシュータ２１側が開放するように形成され、該摺動溝４２ｄ・４２ｅに係合体であるピン４３が上下方向に挿入されている。該ピン４３の直径は摺動溝４２ｄ・４２ｅの溝幅より若干小さくして溝内を摺動できる大きさとし、かつ、前記旋回座２０の凹部２０ａ内に嵌入できる大きさとしている。なお、本実施例では、係合体として断面視円形状のピン４３を用いているが、その形状は特に限定するものではなく断面視半円形状のものや三角形状など、ハンドル３７の操作で回動したときに凹部２０ａの斜辺で押されて後退し、非操作時は凹部２０ａ内に嵌入して保持する形状であればよい。
【００２５】
前記ピン４３の上下中途部に支軸４４の一端が直交して固着され、該支軸４４の他端は支持部材４２の上板４２ｂと下板４２ｃの間を平行に延設して、支持部材４２の側板４２ｆの上下中途部に摺動自在に挿通されている。該支軸４４の端部には雄螺子が形成され、支軸４４が側板４２ｆから抜けないようにナット４５などで固定されている。該ナット４５は、本実施例においてはＷナットとしているが、特に限定するものではなくＵナットなどを用いてもよい。なお、該ナット４５を回動することによりピン４３の位置を変更し、又は固定部材４１の切欠４１ｂ内で支持部材４２の位置を変更することにより、保持位置を調整することができる。
【００２６】
また、前記支軸４４の外周にはバネ部材４６が配設され、該バネ部材４６の一端が支持部材４２の側板４２ｆの内側面に当接される一方、他端がピン４３の上下中途部に一体的に設けられた凸部４３ａに外嵌された上で掛止されている。そして、該バネ部材４６の付勢力によりピン４３がシュータ２１側に付勢されている。こうして、ピン４３は摺動溝４２ｄ・４２ｅに、支軸４４は側板４２ｆの挿入孔にそれぞれガイドされ、シュータ２１の半径方向に摺動可能に構成している。
【００２７】
なお、保持機構は前記凹部２０ａに係合体が付勢されて進退可能に係合する構成であればよいので、以下のようにピン４３のみを摺動可能として構成することもできる。この場合、図６、図７、図８に示すように、前記支持部材４２の上板４２ｂと下板４２ｃに形成した長孔４２ｇ・４２ｈがそれぞれシュータ２１側端部の旋回座２０の上下に正対して設けられ、該長孔４２ｇ・４２ｈに前記ピン４３が上下方向に挿入されている。ピン４３の上下中途部には支軸６２の一端が直角方向に挿通されて、該ピン４３が支軸６２に摺動自在に支持されている。該支軸６２の他端は前記上板４２ｂと下板４２ｃの間を平行に延設されて、該支持部材４２の側板４２ｆの上下中途部に固定さている。そして、支軸６２の外周にバネ部材６３が配設され、該バネ部材６３の一端が支持部材４２の側板４２ｆの内側面に当接される一方、他端がピン４３の上下中途部に一体的に設けられた凸部４３ａに外嵌された上で掛止されて、該バネ部材６３の付勢力によりピン４３がシュータ２１側に付勢されている。こうして、ピン４３のみを長孔４２ｇ・４２ｈ内でガイドしながらシュータ２１の半径方向に摺動させ、凹部２０ａに係合させる構成としている。
【００２８】
また、前記ピン４３の上下一端を枢支し、他端をバネ等の付勢部材で付勢する構成とすることもできる。さらに、図９に示すように、ピンの代わりにボール５５を用いて、該ボール５５とバネ５６をパイプ５７内に収納し、該ボール５５を凹部２０ａに係合させる構成とすることもできる。
【００２９】
そして、前記ピン４３はバネ部材４６の付勢力により旋回座２０側に付勢されて凹部２０ａ・２０ａ・・・の一つと係合される。このとき、ピン４３はバネ部材４６により凹部２０ａと係合する方向に常に付勢されているため、ピン４３と凹部２０ａの係合状態が維持される。よって、旋回座２０、つまりシュータ２１はその位置から自由に旋回しないように保持されている。
【００３０】
このような構成において、旋回操作手段としてシュータ２１後部に取り付けられた前記ハンドル３７を左右方向に回動操作することで、シュータ２１からの吐出方向を任意の方向に向くように旋回することができる。シュータ２１の旋回時においては、シュータ２１とともに旋回座２０も一体的に旋回され、該旋回座２０の旋回によりピン４３が、図５に示すように、バネ部材４６の付勢力に抗して旋回座２０と反対側に摺動溝４２ｄ・４２ｅに沿って押されて、ピン４３と旋回座２０の凹部２０ａとの係合状態が解除される。こうして、ハンドル３７の旋回操作によりシュータ２１を任意の方向に旋回することが可能となる。
【００３１】
そして、シュータ２１を所望の位置まで旋回した後、ハンドル３７を放すと、ピン４３がバネ部材４６の付勢力により旋回座２０側に付勢され、該旋回座２０の凹部２０ａ・２０ａ・・・の一つとピン４３とが再び係合した状態となり、シュータ２１が回動しないように保持される。なお、シュータ２１自体には回動しようとする力が発生しないので、保持するために大きな力は必要なく、本実施例のように簡単な構成で小型に構成することができるのである。また、ハンドル３７は回転中心から後方に延設しているので、シュータ２１を回動するための力も小さくて済むのである。
【００３２】
以上のように、シュータ２１を旋回操作する手段は旋回中心から離れた操作部まで延設したので、小さな力で操作することができ、操向ハンドルから手を伸ばして容易に操作できる。そして、シュータ２１の旋回を、従来の如く電動モータなどを用いて間接的に行うのではなく、シュータ２１に取り付けたハンドル３７などの旋回操作手段を用いて作業者が直接に行うことが可能となり、素早く投雪方向を変更することができる。また、シュータ２１の回転を保持する手段は旋回中心に近い位置で、旋回操作手段と別に設けてあるので、シュータ２１を保持する手段を従来に比して簡素な構造で構成でき、シュータ２１の旋回機構における部品点数を削減することができ、コストの低減化を図ることができる。また、保持する手段は、ピン４３を凹部２０ａに嵌入する構造であるため、シュータ２１を確実に保持でき、投雪方向を変更するときには、凹部２０ａと凹部２０ａの間が山型形状となっているため、ピン４３は溝に沿って後退しながら凹部２０ａの斜面に沿って容易に乗り越えて角度変更ができる。
【００３３】
【発明の効果】
本発明は、以上のように構成したので、以下に示すような効果を奏する。
【００３４】
即ち、請求項１に示す如く、雪掻き用のオーガと投雪用のブロアを収納したブロアハウジング上に、シュータを旋回可能に備えた除雪機において、前記シュータの旋回基部に円板状の旋回座を一体的に設け、該旋回座の外周部に所定間隔ごとに凹部を形成し、該凹部に係合体を進退可能に付勢して係合する保持機構をブロアハウジング上に設けたので、シュータを確実に保持できる。よって、シュータを保持する手段とは別に旋回操作手段を設けて、シュータを作業者が直接に操作して旋回することが可能となり、素早く投雪方向を変更することができる。
【００３５】
また、シュータの回転を保持する手段は旋回中心に近い位置で、旋回操作手段と別に設けてあるので、シュータを保持する手段を従来に比して簡素な構造で構成できる。したがって、シュータの旋回機構における部品点数を削減することができ、コストの低減化を図ることができる。
【図面の簡単な説明】
【図１】本発明に係る除雪機の全体的な構成を示した側面図。
【図２】保持機構を示す斜視図。
【図３】同じく側面図。
【図４】係合体と旋回座の凹部とが係合された状態を示す保持機構の一部断面平面図。
【図５】係合体と旋回座の凹部との係合が解除された状態を示す保持機構の一部断面平面図。
【図６】別実施例の保持機構を示す側面図。
【図７】係合体と旋回座の凹部とが係合された状態を示す保持機構の一部断面平面図。
【図８】係合体と旋回座の凹部との係合が解除された状態を示す保持機構の一部断面平面図。
【図９】別実施例の保持機構を示す側面図。
【符号の説明】
１０  除雪機
１６  ブロアハウジング
１７  ブロア
１９  オーガ
２０  旋回座
２０ａ  凹部
２１  シュータ
４３  ピン
【図１】
2004353253.tif 000003
【図２】
2004353253.tif 000004
【図３】
2004353253.tif 000005
【図４】
2004353253.tif 000006
【図５】
2004353253.tif 000007
【図６】
2004353253.tif 000008
【図７】
2004353253.tif 000009
【図８】
2004353253.tif 000010
【図９】
2004353253.tif 000011